【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を可変表示させ、表示結果が特定表示結果となったときに遊技者にとって有利な特定遊技状態に制御する遊技機であって、
前記始動条件の成立に応じて保留情報を記憶する保留記憶手段と、
前記保留記憶手段に記憶された前記保留情報に基づいて特定表示結果とするか否かを決定する事前決定手段と、
前記事前決定手段の決定結果に基づいて識別情報の可変表示を実行する可変表示制御手段と、
前記保留記憶手段に記憶された前記保留情報に対応する保留表示を保留表示部に表示する保留表示手段と、
識別情報の可変表示を開始させるときに該可変表示に対応する保留表示を今回表示部に移動表示させる移動表示手段と、
前記今回表示部に移動された保留表示の表示態様を変化させることにより、特定表示結果となる可能性を示唆する今回表示変化予告を実行する変化予告実行手段と、
前記今回表示部の態様を複数種類の態様のいずれかに変更する態様変更手段と、を備え、
前記変化予告実行手段は、
前記今回表示部の態様に応じて異なる割合で、前記今回表示変化予告を実行することを特徴とする遊技機。
【請求項２】
前記保留記憶手段に記憶される前記保留情報に基づいて特定表示結果となるか否かを該保留情報に対応する可変表示が開始される以前に判定する事前判定手段を備える
ことを特徴とする請求項１に記載の遊技機。
【請求項３】
予告演出を実行する予告演出実行手段と、
前記予告演出の実行を制限する制限手段と
を備えることを特徴とする請求項１または請求項２に記載の遊技機。
【手続補正２】
【補正対象書類名】明細書
【補正対象項目名】０００６
【補正方法】変更
【補正の内容】
【０００６】
本発明は、上記実情に鑑みなされたものであり、領域の態様に意味を持たせることによって、保留表示の態様が変化する割合を事前に遊技者に察知させて遊技者の期待感を向上させる遊技機を提供することを目的とする。
【手続補正３】
【補正対象書類名】明細書
【補正対象項目名】０００７
【補正方法】変更
【補正の内容】
【０００７】
（１）上記目的を達成するため、本発明の一態様である遊技機は、
所定の始動条件（例えば普通入賞球装置６Ａが形成する第１始動入賞口や普通可変入賞球装置６Ｂが形成する第２始動入賞口などへの入賞）の成立に応じて複数種類の識別情報を可変表示させ、表示結果が特定表示結果（例えば大当り図柄となる確定特別図柄や大当り組合せとなる確定飾り図柄など）となったときに遊技者にとって有利な特定遊技状態（例えば大当り遊技状態など）に制御する遊技機（例えばパチンコ遊技機１など）であって、前記始動条件の成立に応じて保留情報（例えば、特図表示結果決定用の乱数値ＭＲ１、大当り種別決定用の乱数値ＭＲ２、変動パターン決定用の乱数値ＭＲ３など）を記憶する保留記憶手段（例えば第１特図保留記憶部１５１Ａ、第２特図保留記憶部１５１Ｂなど）と、前記保留記憶手段に記憶された前記保留情報に基づいて特定表示結果とするか否かを決定する事前決定手段（例えばステップＳ２４０の処理を実行するＣＰＵ１０３など）と、前記事前決定手段の決定結果に基づいて識別情報の可変表示を実行する可変表示制御手段（例えばステップＳ１７２の処理を実行するＣＰＵ１２０など）と、前記保留記憶手段に記憶された前記保留情報に対応する保留表示を保留表示部（例えば第１始動入賞記憶表示エリア５ＨＬ、第２始動入賞記憶表示エリア５ＨＲなど）に表示する保留表示手段（例えばステップＳ１６１の処理を実行するＣＰＵ１２０など）と、識別情報の可変表示を開始させるときに該可変表示に対応する保留表示を今回表示部（例えば今回保留表示部５Ｋなど）に移動表示させる移動表示手段（例えばステップＳ５３５の処理を実行するＣＰＵ１２０など）と、前記今回表示部に移動された保留表示の表示態様を変化（例えば、図２１の先読み予告パターンにおける「白色」から「青色」または「赤色」への変化、「青色」から「赤色」への変化など）させることにより、特定表示結果となる可能性を示唆する今回表示変化予告を実行する変化予告実行手段（例えばステップＳ６０７、Ｓ６０８の処理を実行するＣＰＵ１２０など）と、前記今回表示部の態様を複数種類の態様（例えば、図２１の先読み予告パターンにおける「白色」「青色」「赤色」）のいずれかに変更する態様変更手段（例えばステップＳ７２６の処理を実行するＣＰＵ１２０など）と、を備え、前記変化予告実行手段は、前記今回表示部の態様に応じて異なる割合で、前記今回表示変化予告を実行することを特徴とする。
このような構成によれば、今回表示部に移動する保留表示の態様は、今回表示部の態様に応じて異なる割合で変化するので、今回表示部に移動する前に、今回表示部の態様によって保留表示の態様が変化する可能性を遊技者に察知させることができる。したがって、今回表示部の態様に遊技者が注目し、興趣が高まる。
【手続補正４】
【補正対象書類名】明細書
【補正対象項目名】０００８
【補正方法】変更
【補正の内容】
【０００８】
（２）上記（１）の遊技機において、
前記保留記憶手段に記憶される前記保留情報に基づいて特定表示結果となるか否かを該保留情報に対応する可変表示が開始される以前に判定する事前判定手段（例えばステップＳ１０１の処理を実行するＣＰＵ１０３）を備えるように構成されてもよい。
また、前記態様変更手段は、前記事前判定手段の判定結果に基づいて前記今回表示部の態様を変更するように構成されてもよい。
このような構成によれば、将来の状況（特定表示結果となるか否か）に応じて適切に今回表示部の態様を変更できる。
（３）上記（１）または（２）の遊技機において、
予告演出（例えば、今回保留表示部変更予告、保留表示変化予告など）を実行する予告演出実行手段と、前記予告演出の実行を制限する制限手段とを備えるようにしてもよい。
【手続補正５】
【補正対象書類名】明細書
【補正対象項目名】０００９
【補正方法】変更
【補正の内容】
【０００９】
（４）上記（１）から（３）のいずれかの遊技機において、
前記変化予告実行手段は、前記今回表示部の態様の変更に伴って、前記保留表示部に表示される保留表示の表示態様を変化させるように構成されてもよい。
このような構成によれば、例えば、今回表示部が宝箱のような表示になった場合に、保留表示を鍵のような表示にするなど、今回表示部の態様と保留表示の表示態様とがリンクし、興趣が高まる。
【手続補正６】
【補正対象書類名】明細書
【補正対象項目名】００１０
【補正方法】変更
【補正の内容】
【００１０】
（５）上記（１）から（４）のいずれかの遊技機において、
前記態様変更手段は、前記可能性に応じて前記今回表示部の態様を複数種類のいずれかに変更し、前記変化予告実行手段は、前記今回表示部の態様に応じて異なる割合で、異なる前記可能性を示唆する複数種類のいずれかの前記今回表示変化予告を実行するように構成されてもよい。
このような構成によれば、今回表示部の態様の変更によって、大当りとなる可能性の高い表示態様（例えば「赤色」）に保留表示が変化することを遊技者に期待させ、興趣が高まる。
【手続補正７】
【補正対象書類名】明細書
【補正対象項目名】００１１
【補正方法】変更
【補正の内容】
【００１１】
（６）上記（１）から（５）のいずれかの遊技機において、
前記態様変更手段は、複数の変更タイミングのいずれかで前記今回表示部の態様を変更するように構成されてもよい。
このような構成によれば、今回表示部の態様が変更されることの期待感を持続させることができ、興趣が高まる。